(57)【要約】【課題】  本発明は、簡略な構成により、コストアップを招くことなく、原稿の両面を読み取る際の白レベル調整のずれに起因する濃度差の発生を防止した画像読取装置を提供することを目的としている。【解決手段】  上記課題を解決するために、本発明に係る画像読取装置の代表的な構成は、原稿を搬送する搬送経路と、前記搬送経路を挟んで配置された第一読取手段および第二読取手段と、読取手段の白レベルを調整するための白基準部材とを備え、少なくとも前記第一読取手段、第二読取手段、白基準部材のいずれか１つは移動可能であって、前記第一読取手段もしくは第二読取手段が移動することにより、または前記白基準部材が移動することによって、前記第一読取手段および第二読取手段がいずれも前記白基準部材を読み取り可能であることを特徴とする。【選択図】    図２
2006186410.tif 000002
【特許請求の範囲】
【請求項１】
原稿を搬送する搬送経路と、
前記搬送経路を挟んで配置された第一読取手段および第二読取手段と、
読取手段の白レベルを調整するための白基準部材とを備え、
少なくとも前記第一読取手段、第二読取手段、白基準部材のいずれか１つは移動可能であって、
前記第一読取手段もしくは第二読取手段が移動することにより、または前記白基準部材が移動することによって、前記第一読取手段および第二読取手段がいずれも前記白基準部材を読み取り可能であることを特徴とする画像読取装置。
【請求項２】
前記第一読取手段は移動可能、前記第二読取手段および白基準部材は固定配置であって、
前記白基準部材は前記第二読取手段の読取位置に配置し、
前記第一読取手段は、白レベルを調整するに際し、通常の読取位置から前記白基準部材を読み取り可能な位置に移動することを特徴とする請求項１記載の画像読取装置。
【請求項３】
前記白基準部材は回転可能に軸支されており、
前記第一読取手段および第二読取手段は、前記白基準部材の同一部位を読み取り可能であることを特徴とする請求項１記載の画像読取装置。
【請求項４】
前記白基準部材はローラ部材であることを特徴とする請求項３記載の画像読取装置。
【請求項５】
前記白基準部材はベルト部材であることを特徴とする請求項３記載の画像読取装置。
【請求項６】
前記第ニ読取手段による前記白基準部材の読取値に基づいて、該第二読取手段の白レベル調整を行うことを特徴とする請求項２記載の画像読取装置。
【請求項７】
前記第一読取手段による前記白基準部材の読取値に基づいて、該第一読取手段の白レベル調整を行うことを特徴とする請求項６記載の画像読取装置。
【請求項８】
前記第一読取手段の白レベル調整のターゲット値と前記第ニ読取手段の白レベル調整のターゲット値は、ほぼ等しく設定されていることを特徴とする請求項７記載の画像読取装置。
【請求項９】
さらに標準白基準部材を備え、
前記第一読取手段は、少なくとも通常の読取位置と、前記白基準部材を読み取り可能な位置と、前記標準白基準部材を読み取り可能な位置とに移動可能であって、
前記第一読取手段による前記標準白基準部材の読取値に基づいて該第一読取手段の白レベル調整を行い、
前記第一読取手段及び前記第二読取手段による前記白基準部材の読取値に基づいて前記第二読取手段の白レベル調整のターゲット値を決定することを特徴とする請求項２記載の画像読取装置。
【発明の詳細な説明】
【技術分野】
【０００１】
本発明は、原稿の両面から画像を読み取ることが可能な画像読取装置に関するものであり、特に両面の読み取り濃度間にずれが生じないように、表面と裏面の白レベルのバラツキをなくし濃度差を補正するものである。
【背景技術】
【０００２】
従来から、原稿を搬送しながらその両面の画像を一度に読み取る画像読取装置が各種提案、提供されている。そのなかには、原稿搬送経路の両側に固定的に読取手段を設けたいわゆるシートフィード型のほか、特許文献１（特開平５−８３４８０）に示すように、冊子など搬送不可能な原稿も読み取り可能なフラットベット型に原稿搬送装置を載置し、原稿搬送装置内に裏面読取用の読取手段を配置した構成も提案されている。
【０００３】
原稿の両面を読み取り可能な従来の画像読取装置について、図８および図９を用いて説明する。図８は従来の画像読取装置の読み取り機構部を示す要部説明図、図９は画像信号処理回路を示す図である。
【０００４】
図８に示す画像読取装置は、原稿39の両面を読み取るものであって、原稿搬送経路を挟んで光学読取ユニット36、40を配置している。原稿39は、図において下面を表面、上面を裏面と称する。原稿39を搬送する給送ローラ38は、原稿39の連続読取や、両面読取を行う場合などに用いられる。
【０００５】
光学読取ユニット36は原稿39の表面読取用の読取手段であって、フラットベッド部35の内部において移動可能である。移動することによってプラテンガラス上に固定された原稿を読み取ることができ、また停止した状態で搬送される原稿を読み取ることができる。光学読取ユニット36には、ランプ42、ＣＣＤ44が備えられている。またフラットベッド部35には、光学読取ユニット36用の白基準板37が備えられている。
【０００６】
光学読取ユニット40は原稿39の裏面読取用の読取手段であって、原稿搬送装置の内部に固定的に配置されている。光学読取ユニット40には、ランプ43、ＣＣＤ45が備えられている。光学読取ユニット40と対向する位置には、光学読取ユニット40用の白基準兼用のプラテンローラ41が配置されている。
【０００７】
両面読取動作時には、表面読取用の光学読取ユニット36は、まず白基準板37まで移動して白基準板37を読み取って白レベルを調整し、通常の読取位置（図示された位置）に移動して停止する。裏面読取用の光学読取ユニット40は、プラテンローラ41上の白基準を読み取って白レベルを調整し、原稿39が送り込まれるのを待つ。
【０００８】
原稿39は、給送ローラ38によって原稿搬送経路に連続的に送り込まれる。そして、各光学読取ユニット36、40において、ランプ42、43によって表面と裏面の読み取り領域を照射され、ＣＣＤ44、45によって読み取られる。
【０００９】
図９に示す画像信号処理回路のように、ＣＣＤ44、45には、それぞれ、増幅器46、47、Ａ／Ｄ変換回路48、49、白レベル補正回路50、51、メモリ52、53に接続されている。表面読取用と裏面読取用のＣＣＤ44、45がはじめに読み取った白基準の白レベルは、白レベル補正回路50、51にそれぞれ記憶され、以後読み取られる原稿の地色に追従して補正される。補正された白レベルは、Ａ／Ｄ変換回路48、49に出力される。Ａ／Ｄ変換回路48、49は、白レベル補正回路50、51から与えられる白レベルを濃度の飽和値として、それぞれ増幅器46、47を介してＣＣＤ44、45から受け取るアナログ画像信号（ビデオ信号）を対応する濃度レベルの画像データに変換する。このようにして、原稿の表面と裏面の画像がそれぞれ適切なコントラストで読み取られ、メモリ52、53に格納される。
【００１０】
【特許文献１】特開平５−８３４８０号公報
【特許文献２】特開平０４−３７１０７２号公報
【発明の開示】
【発明が解決しようとする課題】
【００１１】
上記説明したように、従来の両面画像読取装置では、表面読取用と裏面読取用の光学読取ユニットが、それぞれ白基準板やプラテンローラなどの固有の白基準を用いて白レベル生成を行っていた。
【００１２】
しかしながら、（１）それぞれの白基準の材質の違う場合、反射率に差が生じる。（２）それぞれの白基準の材質が同じ場合でも、個々の部品の濃度むらがある。（３）原稿搬送に伴い、それぞれの白基準の汚れ具合に差が生じてくる。ここで表面用白基準板37は汚れないが、裏面用白基準であるプラテンローラ41は原稿の搬送に伴い表面が汚れてくる。
【００１３】
これらの理由により、光学読取ユニット36、40の白基準レベルが一致せず、読み取られた画像データの間に濃度差が生じる場合がある。このため、面倒なレベル調整を行わなければならなかった。特にカラー読取りの場合には各色成分（ＲＧＢ）毎の反射率の差が読取り画像の色差になるため、個々の部品毎にＲＧＢの色成分毎の反射率を測定してそれに基づく白基準レベル設定を行うといった煩雑な制御を、各々の白基準部材に対して行う必要であった。
【００１４】
また、特許文献２（特開平０４−３７１０７２）には、白基準用のテストチャートを用意し、その表面と裏面の画像読込みを行い、表面と裏面の読み値が合うようにレベル調整を行う構成が開示されている。しかしこれによっても、先に説明した（１）、（２）の問題は解決されるが、（３）の問題に対しては対応ができない。また、特別に調整用のシートを用意する必要があるため、コストアップや調整作業の発生といった問題があった。
【００１５】
そこで本発明は、簡略な構成により、コストアップを招くことなく、原稿の両面を読み取る際の白レベル調整のずれに起因する濃度差の発生を防止した画像読取装置を提供することを目的としている。
【課題を解決するための手段】
【００１６】
上記課題を解決するために、本発明に係る画像読取装置の代表的な構成は、原稿を搬送する搬送経路と、前記搬送経路を挟んで配置された第一読取手段および第二読取手段と、読取手段の白レベルを調整するための白基準部材とを備え、少なくとも前記第一読取手段、第二読取手段、白基準部材のいずれか１つは移動可能であって、前記第一読取手段もしくは第二読取手段が移動することにより、または前記白基準部材が移動することによって、前記第一読取手段および第二読取手段がいずれも前記白基準部材を読み取ることにより白レベルを調整することを特徴とする。
【発明の効果】
【００１７】
本発明によれば、原稿の搬送経路を挟んで配置された第一読取手段および第二読取手段の白レベル調整の差を、簡略な構成により、コストアップを招くことなく極めて低減させることができ、濃度差の発生を防止することができる。
【発明を実施するための最良の形態】
【００１８】
｛第一実施例｝
本発明に係る画像読取装置の第一実施例について図を用いて説明する。図１は画像読取装置の全体構成図、図２は読取部の要部拡大図、図３は画像信号処理回路の構成を示す図、図４は白レベル補正回路およびレベル可変回路の詳細構成を示す図、図５は白レベル制御データの作成処理を説明するフローチャートである。なお本実施例においては、図において画像を読み取る際の下面を原稿表面、上面を原稿裏面と称する。
【００１９】
図１に示す画像読取装置は、自動原稿給送装置（以下、ＡＤＦ100という）と、読取装置本体200から構成される。読取装置本体200は、読取装置本体200のプラテンガラス202上に原稿を載置して表面スキャナ201（第一読取手段）を移動させながら画像を読み取る第１の読取モードを有している。また、表面スキャナ201を所定位置に停止させて、ＡＤＦ100により搬送する原稿の画像を読み取る第２の読取モードを有している。第２の読取モードにおいては、表面スキャナ201によって原稿表面を読み取ると共に、ＡＤＦ100に固定的に配置された裏面スキャナ301（第二読取手段）によって原稿裏面を読み取ることが可能である。
【００２０】
読取装置本体200の上面には、第１の読取モードにおいて原稿を載置するためのプラテンガラス202、第二の読取モードにおいて搬送されている原稿の画像を読み取るためのプラテンガラス203を備えている。読取装置本体200の内部には、ランプ204、反射笠205、ミラー206を備えた表面スキャナ201、ミラー207、208を有する２ミラーユニット209、レンズユニット210、ＣＣＤ16を備えている。ＣＣＤ16によって光学的に読み取られた画像情報は、光電変換して画像データとして入力される。表面スキャナ201は、第１の読取モードにおいてはプラテンガラス202に沿って移動しながら画像読取を行い、第２の読取モードにおいてはプラテンガラス203に対向した位置に停止した状態で画像読取を行う。
【００２１】
プラテンガラス202を介して表面スキャナ201から読み取り可能な位置には、表面スキャナ201の白レベルを調整するための白基準部材402（標準白基準部材）を備えている。
【００２２】
ＡＤＦ100は上方に原稿載置台としての給送トレイ111を有し、該給送トレイ111上の原稿は、給送手段としての給送ローラ112により順次その最上位の原稿から繰り出され、分離手段を構成する分離搬送ローラ113及び分離パッド114により一枚ずつに分離される。分離された原稿は搬送ローラ対117及び上流リードローラ対103により読取装置本体200のプラテンガラス203へと搬送される。
【００２３】
原稿はプラテンガラス203に進入する前にその先端を上流リードローラ対103のニップ部に突き当ててループを作ることで、斜行補正取り及びタイミングの調整を行う。その後原稿は裏面スキャナ301を通過し、下流リードローラ対118及び排出ローラ対115により排出トレイ116上に排出される。
【００２４】
裏面スキャナ301は、図２に示すように、第一読取手段としての表面スキャナ201に対し、搬送経路を挟んで反対側に配置されており、原稿裏面の画像を読み取る構成となっている。裏面スキャナ301は、ランプ304、ミラー306、307、308、レンズユニット310、ＣＣＤ17を有し、読み取り対象の原稿に記録された画像情報を光学的に読み取り、光電変換して画像データとして入力する。
【００２５】
ここで図２に示すように、プラテンガラス203における表面スキャナ201による画像読取位置を表面読取位置102と称し、裏面スキャナ301による原稿読取位置を裏面読取位置302と称する。なお、これらは上記第２の読取モードにおける読取位置である。
【００２６】
表面読取位置102には、プラテンガラス203および原稿搬送経路を介して表面スキャナ201と対向する位置に、搬送される原稿をプラテンガラス203に押圧するための表面読取ローラ120が配置されている。表面読取ローラ120は読み取る画像に影響を与えないために白色をしているが、本実施例では白基準として用いるものではない。
【００２７】
裏面読取位置302には、原稿搬送経路を介して裏面スキャナ301と対向する位置に、搬送される原稿を裏面スキャナ301に押圧するための裏面読取ローラ220が配置されている。裏面読取ローラ220は白色をしており、本実施例において白基準として用いるものである。
【００２８】
図３に基づいて、画像信号処理回路の構成を説明する。図３において、ＣＣＤ16を含む上段の回路部分は表面読取用、またＣＣＤ17を含む下段の回路部分は裏面読取用である。
【００２９】
ＣＣＤ16、17から出力されるビデオ信号は増幅器18、19で増幅され、白レベル補正回路22、23とＡ／Ｄ変換回路20、21に入力される。白レベル補正回路22、23は、入力ビデオ信号の地色レベルを検出して、定められた割合いで現在の白レベルを補正し、レベル可変回路22ａ、23ａを通してＡ／Ｄ変換回路20、21へ供給する。Ａ／Ｄ変換回路20、21は白レベル値を濃度の飽和値（ダイナミックレンジ値）として、入力ビデオ信号をデジタル信号の画像データに変換する。この画像データは、ＲＡＭ24、25の順次のアドレスに格納される。アドレスはｎ＋１ビットのＡＤ０〜ＡＤｎで示されている。
【００３０】
ラッチ26、27は３ステートラッチであり、ＲＡＭ24、25への画像データ書き込み中は遮断状態にある。ＣＰＵ28は、ＥＥＰＲＯＭ28ａに格納されている制御プログラムを実行することにより、画像読取動作あるいは白レベルのバラツキ調整処理などを制御する。算出結果の制御データは、ＥＥＰＲＯＭ28ａに格納される。またＣＰＵ28はＩ／Ｏポート29を介して各レベル可変回路22ａ、23ａを制御し、白レベルを調整する。
【００３１】
図４は、図３の点線で囲まれた白レベル補正回路22およびレベル可変回路22ａの詳細構成を示す図である。図３の白レベル補正回路23およびレベル可変回路23ａの動作も基本的には図４の回路と同様に動作する。
【００３２】
図４に示すように、白レベル補正回路23には、白レベル値を保持する白レベルメモリ30が備えられ、図４（ｂ）に点線波形で示されるような白レベルのパターン（１ライン分）を保持して、ラインごとに更新される。白レベル値は、Ｄ／Ａ変換回路31によってアナログ信号に変換される。
【００３３】
分圧回路34はアナログスイッチ34ａによって分圧比を制御される回路である。アナログスイッチ34ａは図３のＩ／Ｏポート29から出力される制御データの値にしたがって動作する。コンパレータ33は、正負２つの入力の大小を比較し、結果を２値１／０で出力する。コンパレータ33の正入力端子には、分圧回路34を介してＤ／Ａ変換回路31が調整した白レベル値が入力される。負入力端子には、図３の増幅器18からのビデオ信号が入力される。
【００３４】
白レベルアルゴリズムメモリ32には、白レベルメモリ30の出力の白レベル値と、コンパレータ33の比較結果値１／０とをアドレス入力とする関数テーブルを有し、定められたアルゴリズムに基づく白レベルの更新値がデータとして読み出されるようになっている。白レベルアルゴリズムメモリ32からの読み出しデータは白レベルメモリ30に書き込まれ、次のラインの白レベルとして使用される。
【００３５】
次に図５のフローチャートを用いて、ＣＣＤ16およびＣＣＤ17の白レベル調整の動作について説明する。
【００３６】
まず、表面スキャナ201についてのレベル可変回路22ａの出力を最大にして（図４のアナログスイッチ34ａを全てオン）、白レベル出力を最大にする（Ｓ１）。
【００３７】
そして表面スキャナ201を図２に示すＰ１の位置に移動させ、ＣＣＤ16によって標準白基準部材の例としての白基準部材402を読み取り（Ｓ２）、ラッチ26を介して、白基準部材402の読み取りデータ（画像データ）をＲＡＭ24に取り込む。白基準部材402は、例えば反射率が８０％であることが既知の部品を用いる。
【００３８】
ＣＰＵ28は、ＲＡＭ24に格納されている白基準部材402の画像データについて、濃度値の一定の領域の平均値を求める（Ｓ３）。一定の領域を計算に用いるのは、例えば塵埃が付着していた場合には突発的に明るい部分や暗い部分が発生するためであり、読み取られた濃度値のうち明るい部分と暗い部分を所定量カットし（バンドパスフィルタ）、一定の領域についてサンプリングすることにより状態の影響を受けにくい計算をすることができる。
【００３９】
そしてこの平均値に基づき、白レベル補正回路22のレベル可変回路22ａに対する白レベル調整に必要な制御データを算出する（Ｓ４）。例えば濃度値の平均値が白基準部材402の反射率（８０％）であり、レベル可変回路22ａが２５６階調（０〜２５５）の場合、２５５×０．８＝２０４になるような白レベル調整値とする。白レベル調整値とは、具体的には図４の分圧回路34に適切な分圧比を与えるアナログスイッチ34ａのＯＮ／ＯＦＦ制御データである。
【００４０】
そしてＣＰＵ28は、求めた白レベル調整値をＥＥＰＲＯＭ28ａに書き込むと共に、ＣＣＤ16の白レベル調整を行う（Ｓ５）。
【００４１】
次に表面スキャナ201を図２に示すＰ２の位置に移動させ、ＣＣＤ16によって裏面読取ローラ220の読み取りを行う（Ｓ６）。このとき裏面読取ローラ220は、回転させておくことが好ましい。ＣＰＵ28は、ＲＡＭ24に格納されている裏面読取ローラ220の画像データに基づいて、濃度値の一定の領域の平均値を求める（Ｓ７）。このときＣＣＤ16は白基準部材402により既に補正されているのであるから、ここで求めた平均濃度はすなわち裏面読取ローラ220の濃度値であり、これをターゲット値αとする。
【００４２】
次に、裏面スキャナ301についてのレベル可変回路23ａの出力を最大にして、白レベル出力を最大にする（Ｓ８）。そして裏面スキャナ301のＣＣＤ17により、裏面読取ローラ220の読み取り（Ｓ９）、ラッチ27を介して、裏面読取ローラ220の読み取りデータ（画像データ）をＲＡＭ25に取り込む。このとき裏面読取ローラ220は回転させておくことが好ましい。
【００４３】
ＣＰＵ28は、ＲＡＭ25に格納されている裏面読取ローラ220の画像データに基づいて、濃度値の一定の領域の平均値を求める（Ｓ１０）。このときの平均濃度を、ターゲット値βとする。
【００４４】
そして、ターゲット値α、βの値から、裏面スキャナ301の最適な白レベル調整値を求める（Ｓ１１）。具体的には、ターゲット値βがターゲット値αと一致するように、レベル可変回路23ａに対する白レベル調整に必要な制御データを算出する。
【００４５】
そしてＣＰＵ28は、求めた白レベル調整値をＥＥＰＲＯＭ28ａに書き込むと共に、ＣＣＤ17の白レベル調整を行う（Ｓ１２）。
【００４６】
上記説明した如く、表面スキャナ201のＣＣＤ16と裏面スキャナ301のＣＣＤ17とで同一の白基準部材である裏面読取ローラ220を読み取って白レベルを調整することにより、簡略な構成により、コストアップを招くことなく、原稿の両面を読み取る際の白レベル調整のずれに起因する濃度差の発生を防止することができる。
【００４７】
また、原稿からの汚れを受けにくい標準白部材（白基準部材402）によってあらかじめ表面スキャナ201のＣＣＤ16の白レベルを調整しておくことにより、間接的に裏面スキャナ301のＣＣＤ17も標準白部材に基づいた白レベル調整を行うことができるため、経年使用に対する白レベルの精度の維持を図ることができる。
【００４８】
｛他の実施例｝
本発明に係る画像読取装置の他の実施例について説明する。上記第一実施例と説明の重複する部分については同一の符号を付して説明を省略する。
【００４９】
上記第一実施例において白基準部材としての裏面読取ローラ220は、ローラであるとして説明した。これに対し図６に示すように、白基準部材として裏面ベルト部材223を裏面スキャナ301に対向させて配置している。裏面ベルト部材223は駆動ローラ222と張架ローラ221との間に張架され、表面が白色のベルトである。このように構成することにより、裏面読取位置302における原稿の搬送性が向上し、搬送の際の衝撃による画像のブレを低減することが可能となる。
【００５０】
また上記第一実施例においては表面読取ローラ120を白基準部材として使用していなかったが、白基準部材402を廃止して、表面読取ローラ120を標準白部材として用いてもよい。これにより、白基準部材402の廃止に伴うコストダウンが可能となる。
【００５１】
また上記第一実施例においては第一読取手段としての表面スキャナ201を移動させることによって、表面スキャナ201と裏面スキャナ301の両方によって同一の白基準部材である裏面読取ローラ220を読み取るよう説明した。しかし、白基準部材を移動させることにより、第一および第二読取手段の両方によって同一の白基準部材を読み取らせるよう構成してもよい。例えば図７に示すように、裏面スキャナ301に対向させた白基準部材403は回動して移動可能であり、裏面スキャナ301によって読み取られる面を、表面スキャナ201によっても読み取り可能としている。これにより、上記第一実施例と同様に、濃度差の発生を防止することができる。
【００５２】
また上記第一実施例の構成において、裏面読取ローラ220は裏面スキャナ301（ランプ304、ミラー306、307、308、レンズユニット310、ＣＣＤ17）と一体的にユニット化し、裏面読み取り位置に対する裏面読取ローラ220の位置（ＣＣＤ17〜裏面読取ローラ220までの光路長及び同期位置とも）は調整組（組み付け固定する際に位置調整可能とすること）とすることでもよい。そして、裏面スキャナ301（裏面読取ローラ220を含む）はＡＤＦ100内において読取装置本体200に離接する方向に揺動可能に取り付け、図示しない付勢手段及び突き当て手段により裏面読取ローラ220がプラテンガラス203から所定距離となるように裏面読取ユニットを位置決めする。さらに表面スキャナ201による裏面読取ローラ220の読み取り位置（表面スキャナ201の移動方向）も調整組とする。これにより、裏面読取ローラ220は表面スキャナ201および裏面スキャナ301に対して適切な光路長位置、同期位置で読み取り可能となり、より原稿の表面と裏面の濃度差を低減することが可能となる。
【００５３】
また、表面スキャナ201、裏面スキャナ301によって裏面読取ローラ220を読み取る際に、裏面読取ローラ220の軸方向端部のエッジ検出を行い、原稿搬送方向と垂直な方向の読み取り位置の正規化に使用することでもよい。これにより、裏面読取ローラ220を原稿搬送方向と垂直な方向において同一部位を読み込むことができ、より原稿の表面と裏面の濃度の差を低減することが可能となる。
【００５４】
なお、上記第一実施例においては第一読取手段の白レベル調整値を用いて第二読取手段の白レベルを調整するよう説明したが、常にこれを行うことを要するものではなく、第ニ読取手段による白基準部材の読取値に基づいて、第二読取手段の白レベル調整を行うことでもよい。このとき、第一読取手段の白レベル調整は、同様に、第一読取手段による白基準部材の読取値に基づいて行うことでもよい。すなわち、一方で単に白基準部材を読み取って白レベルを調整した場合は、これを基準として、他方を調整することができる。また、それぞれが独立して白レベルを調整することは、同時に処理を行うことができるため高速化を図ることができ、また制御を簡略にできる利点がある。従って例えば、通常はそれぞれが単に白基準部材を読み取ってそれぞれ白レベルを調整し、特にモードを指定（例えば「高精度モード」など）した場合に限り、上記第一実施例の調整処理を行う構成とすることもできる。
【産業上の利用可能性】
【００５５】
本発明は、原稿の両面から画像を読み取ることが可能な画像読取装置に利用することができる。
【図面の簡単な説明】
【００５６】
【図１】画像読取装置の全体構成図である。
【図２】読取部の要部拡大図である。
【図３】画像信号処理回路の構成を示す図である。
【図４】白レベル補正回路およびレベル可変回路の詳細構成を示す図である。
【図５】白レベル制御データの作成処理を説明するフローチャートである。
【図６】他の実施例を説明する読取部の要部拡大図である。
【図７】他の実施例を説明する読取部の要部拡大図である。
【図８】従来の画像読取装置の読み取り機構部を示す要部説明図である。
【図９】画像信号処理回路を示す図である。
【符号の説明】
【００５７】
16、17    …ＣＣＤ
18、19    …増幅器
20、21    …Ａ／Ｄ変換回路
22、23    …白レベル補正回路
22ａ、23ａ  …レベル可変回路
24、25    …ＲＡＭ
26、27    …ラッチ
28    …ＣＰＵ
28ａ  …ＥＥＰＲＯＭ
29    …Ｉ／Ｏポート
31    …Ｄ／Ａ変換回路
32    …白レベルアルゴリズムメモリ
33    …コンパレータ
34    …分圧回路
34ａ  …アナログスイッチ
35    …フラットベッド部
36    …光学読取ユニット
37    …白基準板
38    …給送ローラ
39    …原稿
40    …光学読取ユニット
41    …プラテンローラ
42、43    …ランプ
44、45    …ＣＣＤ
46、47    …増幅器
48、49    …Ａ／Ｄ変換回路
50、51    …白レベル補正回路
52、53    …メモリ
100   …ＡＤＦ
102   …表面読取位置
103   …上流リードローラー対
111   …給送トレイ
112   …給送ローラ
113   …分離搬送ローラ
114   …分離パッド
115   …排出ローラ対
116   …排出トレイ
117   …搬送ローラー対
118   …下流リードローラー対
120   …表面読取ローラ
200   …読取装置本体
201   …表面スキャナ
202、203   …プラテンガラス
204   …ランプ
205   …反射笠
206、207、208   …ミラー
209   …２ミラーユニット
210   …レンズユニット
220   …裏面読取ローラ
221   …張架ローラ
222   …駆動ローラ
223   …裏面ベルト部材
301   …裏面スキャナ
302   …裏面読取位置
304   …ランプ
306、307、308   …ミラー
310   …レンズユニット
402   …白基準部材
【図１】
2006186410.tif 000003
【図２】
2006186410.tif 000004
【図３】
2006186410.tif 000005
【図４】
2006186410.tif 000006
【図５】
2006186410.tif 000007
【図６】
2006186410.tif 000008
【図７】
2006186410.tif 000009
【図８】
2006186410.tif 000010
【図９】
2006186410.tif 000011